(57)【要約】【課題】土地利用等に供される排水用の比較的長距離で敷設されている管或いは暗渠に溜まる堆積物を除外する、構造の単純な且つ操作性に優れる清掃具を提供することである。【解決手段】管暗渠の上流側に移動する時には閉じ、手前に引き出す時には開いて土砂等の堆積物を掻き寄せる掻板を、細長い板或いは棒状の基台の先端部に設ける支持板部に、この支持板をストッパーとして内側に回転自在に取り付け、基台には先端にノズルを有する給水ホースを、ノズルが掻板の前方において地面に向くように配置するとともに、基台の両端部に設けるフックにロープ等を掛けて、このロープを開口する管暗渠の上下流二カ所で互いに引き合いながら堆積物を水勢を伴い管外に排除する用具として解決している。【選択図】        図２
2005002763.tif 000002
【特許請求の範囲】
【請求項１】
両端にロープ等を接続し得るフック部を施す、細長の棒板状基台の一端側フック部の内側近傍に支持板を設け、該支持板の下方においてヒンジ結合し、該支持板をストッパーとして内側に略９０度の角度で回動を許容される、周側面に滑片を数カ所に形成する掻板を有し、前記基台には、一端側にカップリングが位置し他端の前記支持板の前方で下方に屈曲し先端にノズルを配置する給水ホースを設けて成る、管路の距離を隔てて在る開口部の二個所からロープ等で交互に引き寄せ合うことに拠り、管渠内の堆積物を水勢を利用して移動させる管渠清掃用具。
【請求項２】
前記基台に設ける前記支持板を補強するために、支持板の両端と基台を繋ぐ補強柱を固定して成る請求項１記載の管渠清掃用具。
【請求項３】
請求項１に於ける掻板を半円形にして、管の内側面に形状を合わせて成る管渠清掃用具。
【発明の詳細な説明】
【０００１】
【発明の属する技術分野】
本発明は、各種用水に供される管渠の清掃用具に関するものであり、特には、土地改良時に敷設される排水管等の比較的長管路の清掃に有効な清掃用具に関するものである。
【０００２】
【従来の技術】
従来、農地等の土地利用に供される排水管等の各種管渠内には、時間の経過に伴い、土砂等の堆積物がヘドロ状に成って管路を塞ぎ、その為の管渠内の清掃が必要となるが、現在ではバキューム車を使用して、土砂や汚泥等を吸引することが一般的に行われている。しかし、敷設されている管路が農道から離れているような場合にはバキューム車での清掃が不可能となり他の方法に頼らなければならない状況にあるが、適当な清掃装置なり用具が無く、出来る限り清掃をせずに放置するか、必要時には強制的に水を流し水流の勢いで堆積部を下流がへ移動させる方法とか或いは鍬状用具で人力を頼りに土砂等を取り除く事が行われている
【０００３】
亦、生活用水などの排水溝の清掃具として、本発明と、堆積物を排除する原理を同じくする特開２０００−１９２５３７号公報に記載されている清掃装置が公知されている。
この清掃装置は、先端部にストッパーを設ける操作棒の、ストッパーの手前側で回動を許容される掻き寄せ板を取り付けて成る清掃装置であり、操作棒を引き寄せることで、排水溝に堆積する汚泥を掻き寄せるものであり、管なり暗渠で使用できる装置ではない。
【０００４】
【発明が解決しようとする課題】
本発明にあっては、上記従来技術による、比較的距離のある長管渠での清掃が容易に行う事の出来ない事情或いは、前記公知例のよう排水溝の清掃装置を転用できない事情に鑑み為されたもので、土地利用に供される長い管渠にも適用出来る、構造の単純な操作性に優れる清掃用具を提供する事を課題としている。
【０００５】
【課題を解決するための手段】
基本的には、機械的な往復動と水勢に拠り管渠内の堆積物を片側の下流方向へ移動させて排除する装置であり、細長い棒或いは板状の基台の一端側に支持板を固定し、該支持板の下方で蝶番等でヒンジ結合し周側面に滑片を数カ所に設ける掻板の回転動を、前記支持板をストッパーとして支持板の内側において略９０度程度の角度で許容し、前記基台の一端側にカップリングが位置し他端側の前記支持板の前方で下方に屈曲し先端部に地面に向けたノズルを配置する給水ホースを固定して成り、前記基台の両端部に設けるフック部にロープ等を掛け、互いに引き合うことで堆積物を移動させる清掃用具として課題を解決するものである。
【０００６】
また、上述の支持板の固定を強固にするために、該支持板の両端部と基台間に補強柱を固定することで用具の安定性を保証し、上述の掻板を半円筒状に形成することに因り、管暗内での用具の往復動がスムースとなり、堆積物の移動がより容易になる用具として提供出来るものとなる。
【０００７】
【発明の実施の形態】
以下、図面に示す実施例に従って、本発明の実施の形態について詳述する。
図１は、本発明用具の一実施例を示す用具全体の斜視図であり、図３、図４及び図５にそれぞれ、上面、側面、前面からの外観を示してある。
細長い板状の基台１の両端部に、引き出し用のロープを取り付けるフック部３と引き込み用のロープを取り付けるフック部４を設け、フック部４の内側近傍に支持板２を設けると共に、支持板２の下方に抑板５を取り付け、この位置において蝶番等８に依り回転動が内側にほぼ９０度程度の角度で許容される、周側面に複数の滑片７を有する掻板６を取り付け、基台１上面の引き出し側のフック部３側に、一端側に給水用のカップリング１１を有し他端先端部に放水用の複数のノズル１３を有する給水ホース１０のカップリング１１が位置するようにホース止具１２で固定し、給水ホース１０の先端側が支持板２の前面で下方に曲がり先端に設けるノズル１３の口が地面に向くように掻板６の前面において、ノズル止具１４に依り固定されており、支持板２の固定を補強する補強柱９を支持板２の両端部と基台１間に設けたものである。
【０００８】
図２は、他の実施例を示す用具全体の外観図であるが、図１に於ける支持板２の固定を確固たるものとする補強柱９が付設されていない用具の例として示したものである。
【０００９】
図４に、図１の実施例における側面の外観図を示してあるが、支持板２をストッパーとして、抑板５と蝶番８でヒンジ結合する掻板６は、矢印で示すように引き出し方向にほぼ９０度程度の角度で回転動が可能となっており、給水ホース１０に給水された水は、図５に示すように配置するノズル１３から、拡散して管暗渠内に噴出できるようになっている。
【００１０】
管或いは暗渠等の清掃に当たっては、基台１の両端にロープ（図面省略）を取り付けて管あるいは暗渠内に、上流側に向けて引き込み側、即ち掻板６を設ける側を先にして挿入し、管暗渠の上下流開口部の二個所からロープを外に出して、両方からのロープの引き寄せ操作を可能とした状態で、清掃個所の上流側に掻板６を配置し、その位置から下流の引き出し側のロープを引くことに依り、土砂等の堆積物が水とともに掻板６で下流側に掻き寄せられ、最終的には管渠の下流側開口部まで運ばれて堆積物が管渠から除かれて清掃される事になる。
この場合、一度の引き寄せ操作では堆積物を取り除く事が出来ず、上下流開口部に於いて互いにロープを引き寄せる操作を繰り返し行う、掻板６の往復で作業が進められることになる。
また、ノズル１３から水を噴射し、堆積物の流動性をよくしながら掻板６を移動させると作業が極めて高能率的となる。
掻板６が前方に引き込まれる場合には、掻板６が回動してほぼ地面に平行となり、容易に上流側への移動が可能となるものである。
【００１１】
上記実施例においては、基台１の形状を細長い板状で形成したものを示したが、基台１は板状に限らず、それが棒状であっても勿論実施することが出来、また掻板６の形状を管暗渠の形状に合わせて半円形のものとして示したが、この形状も半円形に限るものでは無く、周側面に滑片７を施すものであれば多角形状等のものでも実施可能である。
【００１２】
【発明の効果】
上記実施例に基づき本発明に関わる管渠の清掃用具の具体的な技術内容に付いて説明した通り、本発明に依り、課題とした、比較的距離の長い排水管或いは暗渠等の内部に堆積されて管路を塞ぐ土砂等を排除し得る、構造の単純は操作性に優れた清掃用具を提供すると言う課題を十分に解決している固有の効果を有するものである。
【図面の簡単な説明】
【図１】一実施例を示す用具全体の斜視図である。
【図２】他の実施例を示す斜視図である。
【図３】図１に於ける実施例の上面外観図である。
【図４】図１に於ける実施例の側面外観図である。
【図５】図１に於ける実施例の全面外観図である。
【符号の説明】
１      基台
２      支持板
３      フック
４      フック
５      抑板
６      掻板
７      滑片
８      蝶番
９      補強柱
１０      給水ホース
１１      カップリング
１２      ホース止具
１３      ノズル
１４      ノズル止具
【図１】
2005002763.tif 000003
【図２】
2005002763.tif 000004
【図３】
2005002763.tif 000005
【図４】
2005002763.tif 000006
【図５】
2005002763.tif 000007